(57)【要約】【課題】部品数が少なく、組み込み作業性が良好で、コストの削減が可能な可転式のアンテナ装置を提供する。【解決手段】貫通孔を有する一対の保持壁を備えたベース部体と、前記保持壁間に回動可能に取付けられる回転ベース部体を有するアンテナと、前記保持壁の一方の貫通孔から挿入され、前記回転ベース部体の回動中心となる軸部体と、前記軸部体が挿入される側の保持壁と対向する保持壁側から回転ベース部体内と保持壁内に組み込まれた角度保持手段とを備えた構成とした。【選択図】図３
2005236748.tif 000002
【特許請求の範囲】
【請求項１】
貫通孔を有する一対の保持壁を備えたベース部体と、前記保持壁間に回動可能に取付けられる回転ベース部体を有するアンテナと、前記保持壁の一方の貫通孔から挿入され、前記回転ベース部体の回動中心となる軸部体と、前記軸部体が挿入される側の保持壁と対向する保持壁側から回転ベース部体内と保持壁内に組み込まれた角度保持手段とを備えたことを特徴とする可転式アンテナ装置。
【請求項２】
角度保持手段は、前記回転ベース部体とともに回動するブッシュとクラッチが一体化した第１部材と、前記ベース部体に取付けられ、前記第１部材のクラッチと所定角度で係合するクラッチを有する第２部材と、前記第1部材を第２部材の方向に付勢する付勢手段とからなっていることを特徴とする請求項１に記載の可転式アンテナ装置。
【請求項３】
前記第２部材は、前記軸部体の先端部に対する保持部を有し、かつキャップを兼ねていることを特徴とする請求項２に記載の可転式アンテナ装置。
【発明の詳細な説明】
【技術分野】
【０００１】
本発明は可転式のアンテナ装置に関するものである。
【背景技術】
【０００２】
エレメントが可倒タイプのマイクロアンテナ装置は、ＲＶ車を中心に様々な車輌への採用需要が拡大し、今後も更に車両ラジオアンテナとしての主流になっていくと見られている。
こうしたマイクロアンテナ装置は、ケースアッセンブリー部、アンテナアンプアッセンブリー部、ロッドエレメントアッセンブリー部、およびエレメント部可倒アッセンブリー部が主たる構成部位であるが、その中で特にエレメント可倒アッセンブリー部は部品点数が多く、加工工数も多いため、製品コストヘの影響が非常に大きい。
【０００３】
従来、この種の可倒アッセンブリー部は、図１と図２のように、車体や音響機器本体に固定されるケース部体８と、これの上部に設けられた一対の保持壁部８０、８１間に位置される回転ベース部体９と、この回転ベース部体９を保持するとともに起伏に伴うアンテナ本体Ａの回動位置を保持する保持ユニットＢ、Ｃとを備えている。
【０００４】
しかし、従来では、一方の保持壁部８０側の保持ユニットＢが、回転ベース部体側から順に、Ｏリング７０、ワッシャー７１、スプリングワッシャー７２、ナット７３、キャップ７４から構成され、他方の保持壁部８１側の保持ユニットＣが、回転ベース部体側から順に、コイルスプリング６０、ワッシャー６１、円筒状の回転ブッシュ６２、クラッチプレート６３、クラッチプレート６４、軸ボルト６５およびキャップ６６から構成されており、したがって、１３点もの部品点数であるため、部品材料コストが高くなっていた。
【０００５】
しかも、組込みの工数も多いという問題があった。すなわち、従来の工程と問題点を記すと、次のとおりである。
１）回転ベース部体９にＯリング７０を装着し、ケース部体８に装着する。
２）ケース部体に装着された回転ベース部体９の中に（ケース部体を正面から見て右側より）コイルスプリング６０を挿入する。
３）回転ブッシュ６２にクラッチプレート６３を圧入して固定する。
【０００６】
４）その後、回転ベース部体９に右側からワッシャー６１、回転ブッシュ６２を挿入する。
この時、コイルスプリング６０やワッシャー６１は回転ベース部体内において定量的に位置を規制されることがないため、非常に挿入しづらく、また、定量的位置決めもないため、回転ブッシュ６２の中にワッシャー６１がスムーズに収まらず、大変に組込み性悪化を生じる。
また、回転ベース部体内に回転ブッシュ６２を挿入する際、回転ベース部体内には回転ブッシュ６２が一定方向にしか挿入されない様に凸部が形成されているが、回転ベース部体内での位置合わせが難しく、回転ブッシュの挿入が非常にしづらい。
【０００７】
さらに、回転ブッシュ６２を回転ベース部体内に挿入する時、既に挿入済みのコイルスプリング６０が回転ブッシュ内に収まらなければならないが、コイルスプリング６０が回転ベース部体内で定位置に収まっていないために、回転ブッシュ６０の挿入の際にスムーズに収まらない。
【０００８】
５）クラッチプレート６４をケース部体８に挿入し、センター軸６５を通す。センター軸６５は、右側から回転ベース部体９、ケース部体８を通り反対側にてワッシャー７１、スプリングワッシャー７２を通し、ナット７３にて固定される。
ナット７３をボックスレンチ等に締め込むときに、センター軸側も回転してしまい、ナット７３を締めきれないことが多く、そのため、センター軸６５もボックスレンチ等にて固定しなければならないため、作業性が非常に悪い。
【特許文献１】特開２００３−２９８３２３号公報
【発明の開示】
【発明が解決しようとする課題】
【０００９】
本発明は前記のような問題点を解消するためになされたもので、その目的とするところは、部品数が少なく、組み込み作業性が良好で、コストの削減が可能な可転式のアンテナ装置を提供することにある。
【課題を解決するための手段】
【００１０】
上記目的を達成するため本発明は、貫通孔を有する一対の保持壁を備えたベース部体と、前記保持壁間に回動可能に取付けられる回転ベース部体を有するアンテナと、前記保持壁の一方の貫通孔から挿入され、前記回転ベース部体の回動中心となる軸部体と、前記軸部体が挿入される側の保持壁と対向する保持壁側から回転ベース部体内と保持壁内に組み込まれた角度保持手段とを備えたことを特徴としている。
【発明の効果】
【００１１】
本発明の可転式アンテナ装置は、回転ベース部体の回動中心となる軸部体が一方の保持壁から回転ベース部体内に挿入され、この状態で角度保持手段が反対側の保持壁側から回転ベース部体内と保持壁内に組み込まれるので、軸部体の適切なガイド作用により定位置方向で簡単かつ正確な部品組込みを行うことができる。
【発明を実施するための最良の形態】
【００１２】
好適には、前記角度保持手段は、前記回転ベース部体とともに回動するブッシュとクラッチが一体化した第１部材と、前記ベース部体に取付けられ、前記第１部材のクラッチと所定角度で係合するクラッチを有する第２部材と、前記第1部材を第２部材の方向に付勢する付勢手段とからなっている。
これによれば、部品数が少なく簡素になるため、コスト削減と組立て容易性を図ることができる。
【００１３】
また好適には、前記第２部材は、前記軸部体の先端部に対する保持部を有し、かつキャップを兼ねている。
これによれば軸部体の支持を第２部材それ自体で行なうのでナットが不要となり、部品数が少なく簡素になるため、コスト削減と組立て容易性を図ることができる。
【実施例１】
【００１４】
以下添付図面を参照して本発明の実施例を説明すると、図３ないし図９は本発明に係る可転式アンテナ装置の一例を示しており、１はベース部体であり、上部に左右一対の保持壁１ａ、１ｂを有し、それら保持壁１ａ、１ｂの間の部分は円弧状の凹入面となっている。保持壁１ａ、１ｂは、それぞれ貫通孔を有しており、貫通孔の入口領域には回転止め用の凸リブ１０が複数条形成されている。
【００１５】
２は前記保持壁１ａ、１ｂ間に回動可能に嵌められる回転ベース部体であり、短円筒状の主部２ａに半径方向に伸びるボス部２ｂが一体に形成され、この例では、ボス部に図示しないポールアンテナなどのアンテナ素子が組付けられるようになっている。なお、回転ベース部体とアンテナ素子を一体的に形成した構成であってもよい。
【００１６】
３は前記一方の保持壁１ａ側に位置する軸部体側ユニットであり、図４のように、保持壁１ａに近い側から、平ワッシャー３０と、ばねワッシャー３１と、軸部体３２およびキャップ３３を備えている。
４は前記他方の保持壁１ｂ側に位置する角度保持手段側ユニットであり、図４のように、一方の保持壁１ｂに近い側から、付勢手段としてのコイルスプリング４０と、平ワッシャー４１と、前記回転ベース部体２内に組み込まれ、回転ベース部体２とともに回転する第１部材４２、および、前記ベース部体１の保持壁１ｂに取り付けられる第２部材４３とを備えている。
【００１７】
前記各部の詳細を説明すると、ベース部体１の一方の保持壁１ａには、図３のように断面ほぼＬ字状の固定側給電プレート５ａがインサート成形により一体に設けられており、その固定側給電プレート５ａは貫通孔を横断するように位置し、その部分の中央に軸部体３２の軸の貫通を許す孔５０を備えている。なお、固定側給電プレート５ａの他の構成は、従来のものと変るところがないので、説明は省略する。
【００１８】
回転ベース部体２は、アンテナ素子との連結金具５ｂとこれに組みつけられた可動側給電プレート５ｃがインサート成形により一体に設けられており、可動側給電プレート５ｃは主部２ａの筒内空間に延びるカップ状部を有し、ここに軸部体３２の軸の貫通を許す孔５１が形成されている。
主部２ａの筒内面には、図４と図６のように、軸方向と直角の断面形状が鳩尾状の係合用部２０が、円周上で等間隔に形成されており、各係合用部２０間には、図４のように、一端開口側から所要の距離をおいた位置から始まる係合用突台部２１がそれぞれ形成されている。
【００１９】
軸部体３２は頭部３２０と軸部３２１とを有し、径少化された先端部に雄ねじ３２２が設けられている。
キャップ３３は、図４のように、前記保持壁１ａの凸リブ１０に嵌まる凹溝３３０を周面に有し、内側は軸部体３２の頭部３２０を包囲する凹部３３１が設けられている。
【００２０】
第１部材４２は、回転ブッシュ４２ａの後端に可動側のクラッチ４２ｂを機械的に加圧加工してアッセンブリーした一体化部品である。回転ブッシュ４２ａは、図８に単体の状態を示しており、コイルスプリング４０を受け入れて端部を支持する有底の筒部４２０を有し、底部外端面にクラッチ４２ｂを配する矩形状の凹部４２１が形成されている。有底筒部４２０の底部には軸部体３２の軸部３２１の貫挿を許す通孔４２２が設けられている。
【００２１】
そして、筒部４２０は、外周面に前記回転ベース部体２の係合用部２０に係合する逆鳩尾状の係合用突部４２３が円周上で等間隔に形成されており、それら各係合用突部４２３の間には、前記回転ベース部体２の係合用突台部２１に嵌まるべき凹溝４２４が形成されている。凹溝４２４は、回転ブッシュ４２ａの挿入限を規定すべく、筒部４２０の後端より適度に手前の位置で終わっている。
そして、挿入を容易化するために、各係合用突部４２３の先端は厚さ方向にテーパー面４２３’が形成され、また、凹溝４２４の先端は、幅方向に逆テーパー面４２４’が形成されている。
【００２２】
可動側のクラッチ４２ｂは矩形状の板片からなり、図４のように軸部体３２の軸部３２１の貫挿を許すために中央に通孔４２６を有し、これを挟んで両側に突起部４２７を有している。
【００２３】
第２部材４３は、前記クラッチ４２ｂと所定角度で係合状態を保持する固定側のクラッチ４３ｂとキャップ４３ａをインサート成形あるいは圧入などによって一体化した部品であり、クラッチ兼キャップとなっている。
図９は第２部材４３を単体の状態で示しており、ＳＵＳなどの金属製のクラッチ４３ｂは、前端面にクラッチ４２ｂの突起部４２７が嵌まり得る２方向の第１、第２のクラッチ溝４３０、４３１が２組配されている。また、クラッチ４３ｂの前端面中央には、軸部体３２の先端部の雄ねじ３２２と螺合するための雌ねじ穴４３２が設けられている。したがって、クラッチ４３ｂは軸部体固定用のナットを兼ねている。
キャップ４３ａは、保持壁１ｂに嵌まる外径を有するとともに、周面に前記保持壁１ｂの凸リブ１０に嵌まる凹溝４３３を数条有し、この嵌まり合いにより回動が阻止されるようになっている。
【００２４】
本発明の可転式アンテナ装置は、組立て状態が図３のようになっており、軸部体３２が保持壁１ａ側から回転ベース部体２の中止を貫いて延び、先端部の雄ねじ３２２がクラッチ４３ｂの雌ねじ穴４３２と螺合されることで支持されている。
第１部材４２は回転ベース部体２に挿入され、外周の複数の係合用突部４２３が回転ベース部体２の各係合用部２０に係合することで回転方向で一体化され、各凹溝４２４が回転ベース部体２の各係合用突台部２１に嵌まることで、軸方向の移動が規制されている。
【００２５】
第１部材４２の回転ブッシュ４２ａの筒部にはコイルスプリング４０が内挿されており、該コイルスプリング４０は、一端が可動側給電プレート５ｃに支持され、他端が回転ブッシュ４２ａの筒部底に支持され、これにより、クラッチ４２ｂが第２部材４３のクラッチ４３ｂと所定の力で接している。
受信感度の調整のため、回転ベース部体２を回動すれば、第１部材４２の全体が一緒に回動し、それによりクラッチ４２ｂの突起４２７、４２７がそれまで係合していたクラッチ４３ｂの第１（または第２）のクラッチ溝と異なる第２(または第１)のクラッチ溝に嵌まりあい、角度が変化した状態で保持される。
【００２６】
本発明の可転式アンテナ装置の組立て工程を説明すると、回転ベース部体２にＯリングを装着し、ケース部体に装着する。次いで、保持壁１ａ側から、軸部体３２にスプリングワッシャー３１、ワッシャー３０を通し、この状態でケース部体１と回転ベース部体２に軸部体３２を通す。
このように軸部体３２を最初にケース部体１と回転ベース部体２に通すことにより、その後は第１部材４２をはじめとする角度保持手段側ユニット４を、軸部体３２をガイドないし組立て基軸として挿入配置することが可能となり、定位置方向での部品組込みができる。
【００２７】
前記の工程でケース部体１と回転ベース部体２に通した軸部体３２に、コイルスプリング４０とワッシャー４１を通す。
この挿入作業は、あらかじめ軸部体３２が回転ベース部体２の軸線上にあるため容易に行なえ、軸方向に定位置での挿入ができるため組付けが容易になる。
【００２８】
次いで、第１部材４２を軸部体３２に通しながら回転ベース部体２内に挿入する。
第１部材４２は、ブッシュ４２ａに可動側のクラッチ４２ｂを機械的に圧入してアッセンブリー化した一部品であり、かつ、ブッシュ４２ａは、挿入部先端にテーパ面４２３’を有し、また、回転ベース部体２内の各係合用突台部２１に対応する各凹溝４２４の先端が、逆テーパー面４２４’となっているため挿入性が良好である。
しかも、ブッシュ４２ａを軸部体３２に通しながら挿入すれば、外周の複数の係合用突部４２３が回転ベース部体２の各係合用部２０に係合し、各凹溝４２４が回転ベース部体２の各係合用突台部２１に嵌まるので、位置決め固定が容易である。
【００２９】
次いで、第２部材４３を軸部体３２に通す。第２部材４３はクラッチ４３ｂとキャップ４３ａを一体化した部品であり、キャップ４３ａは外周の凹溝３３０が保持壁１ｂの凸リブ１０に嵌まることで、回転が阻止された状態に保持される。
クラッチ４３ｂには前端面中央に雌ねじ穴４３２が設けられているため、第１部材４２を貫通している軸部体３２の先端雄ねじ部３２２が螺合する。これにより、クラッチ４３ｂがねじ固定され、同時にキャップ４３ａも軸方向が固定される。したがって、従来のようなキャップ単品でポンド固定するようなことは必要でなくなり、また、第２部材４３がケース部体１内で位置決めされるため、軸部体３２は片側からのボックスレンチ等での作業で取り付けができる。
以上の作業により簡単に図３の組立て状態とすることができる。
【００３０】
なお、実施例の構成は、第１部材４２の外面形状による組付け性向上と、第１部材４２がブッシュとクラッチを一体化しており、第２部体４３がクラッチ兼キャップとして一体化していることよる部品削減により材料費低減と、組付け部品削減による加工費削減と、軸部体３２のねじ固定時の片側固定による加工冶具の簡素化により、製品コストの安価化を図ることができる利点があり、製品コストの安価化の要求に対処できる。
【図面の簡単な説明】
【００３１】
【図１】従来の可転式アンテナ装置の分解状態を示す斜視図である。
【図２】従来の可転式アンテナ装置の組立て状態を示す縦断正面である。
【図３】本発明に係る可転式アンテナ装置の実施例を示す縦断正面である。
【図４】本発明の実施例の分解状態を示す斜視図である。
【図５】本発明の実施例の分解状態を図４と方向を変えて示す斜視図である。
【図６】図３のＶＩ−ＶＩ線に沿う断面図である。
【図７】図３のＶＩＩ−ＶＩＩ線に沿う断面図である。
【図８】(ａ)は第１部材におけるブッシュの正面図、(ｂ)は背面図、(ｃ)は(ａ)のＶＩＩＩ−ＶＩＩＩ線に沿う断面図、（ｄ）は側面図である。
【図９】(ａ)は第２部材の断面図、(ｂ)は正面図、(ｃ)は底面図である。
【符号の説明】
【００３２】
１  ベース部体
１ａ、１ｂ  保持壁
２  回転ベース部体  
３  軸部体側ユニット
４  角度保持手段側ユニット  
３２  軸部体
４２  第１部体
４２ａ  ブッシュ
４２ｂ  クラッチ
４３  第２部材
４３ａ  キャップ
４３ｂ  クラッチ
４３２  雌ねじ穴(保持部)
【図１】
2005236748.tif 000003
【図２】
2005236748.tif 000004
【図３】
2005236748.tif 000005
【図４】
2005236748.tif 000006
【図５】
2005236748.tif 000007
【図６】
2005236748.tif 000008
【図７】
2005236748.tif 000009
【図８】
2005236748.tif 000010
【図９】
2005236748.tif 000011